(57)【要約】      （修正有）【課題】納骨の際に、開閉戸をスライドさせて開けるとき、開閉戸が周囲のスペースを狭めない構成を提供する。【解決手段】墓本体の下側に遺骨を収納し閉塞板３で塞がれた骨堂を備え、閉塞板３に骨堂内に連通し骨堂内に遺骨を入れるための開口４を形成し、閉塞板３の上面にスライド可能に設けられスライドにより開口４を開閉する板状の開閉戸１０を備え、閉塞板３の上面に板状の被覆板２０を設け、被覆板２０に開口４に対応した開放口２１を形成し、閉塞板３の上面側及び被覆板２０の下面側の少なくとも何れか一方に、開閉戸１０をスライド可能に収容し、開放口２１から開閉戸１０をスライド操作可能にする凹所３０を形成した。【選択図】図２
2014005651.tif 000002
【特許請求の範囲】
【請求項１】
墓本体の下側に遺骨を収納し閉塞板で塞がれた骨堂を備え、上記閉塞板に上記骨堂内に連通し該骨堂内に遺骨を入れるための開口を形成し、上記閉塞板にスライドにより上記開口を開閉する板状の開閉戸を備えた墓において、
上記開閉戸を上記閉塞板の上面側の開口周囲に露出しないように被覆したことを特徴とする特徴とする墓。
【請求項２】
上記開閉戸を上記閉塞板の上面に配置し、上記閉塞板の上面に板状の被覆板を設け、該被覆板に上記開口に対応した開放口を形成し、上記閉塞板の上面側及び上記被覆板の下面側の少なくとも何れか一方に上記開閉戸をスライド可能に収容し上記開放口から該開閉戸をスライド操作可能にする凹所を形成したことを特徴とする請求項１記載の墓。
【請求項３】
上記被覆板の上面の開放口の周囲を、物を置くための平面状の物置スペースとして構成したことを特徴とする請求項２記載の墓。
【請求項４】
上記開放口の開放縁に沿って上に突出する凸条を設け、上記被覆板に設置され上記開放口を塞ぐ着脱可能な蓋を設けるとともに、該蓋の裏面側に上記凸条が遊嵌する凹部を形成したことを特徴とする請求項２または３記載の墓。
【請求項５】
上記開放口の形状を、矩形以外の形状に形成したことを特徴とする請求項２乃至４何れかに記載の墓。
【請求項６】
上記開閉戸を上記閉塞板の下面側に配置し、該閉塞板の下面側に上記開閉戸をスライド可能に支持する支持部材を設け、上記開口から該開閉戸をスライド操作可能にしたことを特徴とする請求項１記載の墓。
【請求項７】
上記閉塞板の上面の開口の周囲を、物を置くための平面状の物置スペースとして構成したことを特徴とする請求項６記載の墓。
【請求項８】
上記開口の開口縁に沿って上に突出する凸条を設け、上記閉塞板に設置され上記開口を塞ぐ着脱可能な蓋を設けるとともに、該蓋の裏面側に上記凸条が遊嵌する凹部を形成したことを特徴とする請求項６または７記載の墓。
【請求項９】
上記開口の形状を、矩形以外の形状に形成したことを特徴とする請求項６乃至８何れかに記載の墓。
【請求項１０】
上記支持部材を、上記閉塞板の下面に付帯され、上記開閉戸のスライド方向に沿う一対の側部が摺接してガイドされる一対のレールで構成したことを特徴とする請求項６乃至９何れかに記載の墓。
【請求項１１】
上記支持部材を、上記閉塞板の下面に付帯される支持板で構成し、該支持板に上記開口に対応した開放口を形成し、上記閉塞板の下面側及び上記支持板の上面側の少なくとも何れか一方に上記開閉戸をスライド可能に収容し上記開口から該開閉戸をスライド操作可能にする凹所を形成したことを特徴とする請求項６乃至９何れかに記載の墓。
【請求項１２】
上記開閉戸の所定のスライド方向に沿う互いに対向する上記凹所の一対の側壁面を、該開閉戸のスライド方向に沿う一対の側部が摺接してガイドされるガイド壁面として構成したことを特徴とする請求項２,３,４,５または１１何れかに記載の墓。
【請求項１３】
上記開閉戸を１つ備え、該開閉戸の所定のスライド方向に直交し互いに対向する上記凹所の一対の側壁面のうち、一方の側壁面を、上記開閉戸の閉時に該開閉戸のスライド方向に直交する両端部のうち一方の端部が衝止する閉時ストッパ壁面として構成し、他方の側壁面を、上記開閉戸の開時に該開閉戸のスライド方向に直交する両端部のうち他方の端部が衝止する開時ストッパ壁面として構成したことを特徴とする請求項２,３,４,５,１１または１２何れかに記載の墓。
【請求項１４】
上記開閉戸を、所定のスライド方向にスライドして、互いに対面する一方端面が、閉時に接合し開時に離間するよう２つ備え、該開閉戸の所定のスライド方向に直交し互いに対向する上記凹所の一対の側壁面を、夫々、上記開閉戸の一方端面の反対側にある他方端面が、該開閉戸の開時に衝止する開時ストッパ壁面として構成したことを特徴とする請求項２,３,４,５,１１または１２何れかに記載の墓。
【請求項１５】
上記２つの開閉戸を、夫々、その閉方向のスライド移動が所定位置よりも行き過ぎないように規制する移動規制機構を備えたことを特徴とする請求項１４記載の墓。
【請求項１６】
上記開閉戸を、その閉時に施錠する施錠装置を設けたことを特徴とする請求項１乃至１５何れかに記載の墓。
【発明の詳細な説明】
【技術分野】
【０００１】
本発明は、遺骨を収納し骨蓋等の閉塞板で塞がれた骨堂を備えた墓に係り、特に、この閉塞板に形成され遺骨を入れるための開口を開閉する開閉戸を備えた墓に関する。
【背景技術】
【０００２】
従来、この種の墓としては、例えば、特開２００６−１２５０６８号公報（特許文献１）に掲載されたものが知られている。これは、図１９に示すように、石製の墓本体（図示せず）の下側に遺骨を収納し骨蓋ともいわれる石製の閉塞板１０１で塞がれた骨堂１００を備えている。閉塞板１０１には骨堂１００内に連通し骨堂１００内に骨を入れるための第一の開口１０２が形成され、この閉塞板１０１の上に小物等の収容空間を有した石製の供机１０３が載置されている。供机１０３は、扉１０４で開閉可能になっており、その台板１０５には、閉塞板１０１の開口１０２に対応しこの開口１０２より僅かに大きな大きさで、前側が開放した第二の開口１０６が形成されている。
【０００３】
そして、閉塞板１０１の上面に、スライド可能に設けられスライドにより第一の開口１０２を開閉する板状の石製の開閉戸１０７が備えられている。開閉戸１０７は、第二の開口１０６に遊嵌するように第二の開口１０６と同形状に形成され、第一の開口１０２の閉時に第二の開口１０６に嵌り込んで台板１０５を構成し、開時には第二の開口１０６からスライドにより手前に引き出される。遺骨を収納するときは、供机１０３の扉１０４を開け、開閉戸１０７を手前に引き出して第二の開口１０６及び第一の開口１０２を開け、この開けられた第二の開口１０６及び第一の開口１０２から骨堂１００内に遺骨を入れるようにしている。これにより、納骨の際に、逐一、大きな閉塞板１０１（骨蓋）を動かさなくてもよいことから、納骨が容易に行われる。
【先行技術文献】
【特許文献】
【０００４】
【特許文献１】特開２００６−１２５０６８号公報
【発明の概要】
【発明が解決しようとする課題】
【０００５】
ところで、上記従来の墓においては、納骨の際、骨堂１００に遺骨を入れるときは、開閉戸１０７を手前にスライドさせて引き出すが、供机１０３の前側に突出するので、手前のスペースを狭めてしまうという問題があった。
本発明は上記の問題点に鑑みて為されたもので、納骨の際に、開閉戸をスライドさせて開けるとき、開閉戸が周囲のスペースを狭めないようにした墓を提供することを目的とする。
【課題を解決するための手段】
【０００６】
このような目的を達成するための本発明の墓は、墓本体の下側に遺骨を収納し閉塞板で塞がれた骨堂を備え、上記閉塞板に上記骨堂内に連通し該骨堂内に遺骨を入れるための開口を形成し、上記閉塞板にスライドにより上記開口を開閉する板状の開閉戸を備えた墓において、上記開閉戸を上記閉塞板の上面側の開口周囲に露出しないように被覆した構成としている。
【０００７】
これにより、納骨の際は、開閉戸をスライドさせて開にする。この場合、開閉戸は閉塞板の上面側の開口周囲に露出しないように被覆されているので、開閉戸が周囲のスペースを狭めることがなくなる。そして、開閉戸が開の状態で、この開けられた開口から骨堂内に遺骨を入れる。その後、開閉戸をスライドさせて閉にする。これにより、納骨の際に、逐一、大きな閉塞板を動かさなくてもよいことから、納骨が容易に行われる。
【０００８】
そして、必要に応じ、上記開閉戸を上記閉塞板の上面に配置し、上記閉塞板の上面に板状の被覆板を設け、該被覆板に上記開口に対応した開放口を形成し、上記閉塞板の上面側及び上記被覆板の下面側の少なくとも何れか一方に上記開閉戸をスライド可能に収容し上記開放口から該開閉戸をスライド操作可能にする凹所を形成した構成としている。
これにより、納骨の際は、開閉戸を、被覆板の開放口から操作し、スライドさせて開にする。この場合、開閉戸は凹所内でスライド移動するので、開閉戸が周囲のスペースを狭めることがなくなる。そして、開閉戸が開の状態で、この開けられた開放口及び開口から骨堂内に遺骨を入れる。
その後、開閉戸を、被覆板の開放口から操作し、スライドさせて閉にする。これにより、納骨の際に、逐一、大きな閉塞板を動かさなくてもよいことから、納骨が容易に行われる。
【０００９】
そしてまた、必要に応じ、上記被覆板の上面の開放口の周囲を、物を置くための平面状の物置スペースとして構成している。これにより、物置スペースに、例えば、物として供机を置いたり、花立てを置いたり、その他種々の物を置くことができ、有効利用することができる。
【００１０】
また、必要に応じ、上記開放口の開放縁に沿って上に突出する凸条を設け、上記被覆板に設置され上記開放口を塞ぐ着脱可能な蓋を設けるとともに、該蓋の裏面側に上記凸条が遊嵌する凹部を形成した構成としている。
これにより、蓋があるので雨水が直接開放口から骨堂内に入り込むことを防止することができるとともに、開放口の開放縁には凸条が設けられているので、蓋と被覆板との間から浸入する雨水もこの凸条で堰き止められることから、この点でも開放口から骨堂内に雨水が入り込むことを防止することができる。
【００１１】
更に、必要に応じ、上記開放口の形状を、矩形以外の形状に形成した構成としている。開放口にアクセントをつけることができ、斬新なデザインにすることができる。
【００１２】
また、本発明においては、必要に応じ、上記開閉戸を上記閉塞板の下面側に配置し、該閉塞板の下面側に上記開閉戸をスライド可能に支持する支持部材を設け、上記開口から該開閉戸をスライド操作可能にした構成としている。これにより、納骨の際は、開閉戸をスライドさせて開にする。この場合、開閉戸は閉塞板の下面側にあって骨堂側にあるので、閉塞板によって開口周囲に露出しないように被覆されることになり、そのため、開閉戸が周囲のスペースを狭めることがなくなる。そして、開閉戸が開の状態で、この開けられた開口から骨堂内に遺骨を入れる。その後、開閉戸をスライドさせて閉にする。これにより、納骨の際に、逐一、大きな閉塞板を動かさなくてもよいことから、納骨が容易に行われる。
【００１３】
この場合、必要に応じ、上記閉塞板の上面の開口の周囲を、物を置くための平面状の物置スペースとして構成している。これにより、物置スペースに、例えば、物として供机を置いたり、花立てを置いたり、その他種々の物を置くことができ、有効利用することができる。
【００１４】
また、必要に応じ、上記開口の開口縁に沿って上に突出する凸条を設け、上記閉塞板に設置され上記開口を塞ぐ着脱可能な蓋を設けるとともに、該蓋の裏面側に上記凸条が遊嵌する凹部を形成した構成としている。
これにより、蓋があるので雨水が直接開口から骨堂内に入り込むことを防止することができるとともに、開口の開放縁には凸条が設けられているので、蓋と閉塞板との間から浸入する雨水もこの凸条で堰き止められることから、この点でも開口から骨堂内に雨水が入り込むことを防止することができる。
【００１５】
更に、必要に応じ、上記開口の形状を、矩形以外の形状に形成した構成としている。開口にアクセントをつけることができ、斬新なデザインにすることができる。
【００１６】
更にまた、必要に応じ、上記支持部材を、上記閉塞板の下面に付帯され、上記開閉戸のスライド方向に沿う一対の側部が摺接してガイドされる一対のレールで構成している。開閉戸がレールで支持されるので、移動がスムーズに行われる。
【００１７】
また、必要に応じ、上記支持部材を、上記閉塞板の下面に付帯される支持板で構成し、該支持板に上記開口に対応した開放口を形成し、上記閉塞板の下面側及び上記支持板の上面側の少なくとも何れか一方に上記開閉戸をスライド可能に収容し上記開口から該開閉戸をスライド操作可能にする凹所を形成した構成としている。開閉戸は支持板に支持されて移動するので、支持が安定する。
【００１８】
そして、本発明において、開閉戸を収容する凹所を設ける構成においては、必要に応じ、上記開閉戸の所定のスライド方向に沿う互いに対向する上記凹所の一対の側壁面を、該開閉戸のスライド方向に沿う一対の側部が摺接してガイドされるガイド壁面として構成している。これにより、開閉戸を開閉するときは、開閉戸は凹所のガイド壁面に摺接してガイドされるので、開閉が円滑に行われる。
【００１９】
また、必要に応じ、上記開閉戸を１つ備え、該開閉戸の所定のスライド方向に直交し互いに対向する上記凹所の一対の側壁面のうち、一方の側壁面を、上記開閉戸の閉時に該開閉戸のスライド方向に直交する両端部のうち一方の端部が衝止する閉時ストッパ壁面として構成し、他方の側壁面を、上記開閉戸の開時に該開閉戸のスライド方向に直交する両端部のうち他方の端部が衝止する開時ストッパ壁面として構成している。
これは、開閉戸が一枚の所謂片方開きの場合であり、開閉戸はその開閉の終端が閉時ストッパ壁面と開時ストッパ壁面により規定されるので、開閉戸が凹所内で移動しすぎることがなく、開閉戸の開閉を確実に行うことができる。
【００２０】
更に、必要に応じ、上記開閉戸を、所定のスライド方向にスライドして、互いに対面する一方端面が、閉時に接合し開時に離間するよう２つ備え、該開閉戸の所定のスライド方向に直交し互いに対向する上記凹所の一対の側壁面を、夫々、上記開閉戸の一方端面の反対側にある他方端面が、該開閉戸の開時に衝止する開時ストッパ壁面として構成している。
これは、開閉戸が二枚の所謂双方開きの場合であり、開閉戸はその閉時に互いに対面する一方端面同士を接合する。また、開時には、その他方端面が閉時ストッパ壁面により規定されるので、開閉戸が凹所内で開側に移動しすぎることがなく、開閉戸の開閉を規則的に行うことができる。
【００２１】
この場合、上記２つの開閉戸を、夫々、その閉方向のスライド移動が所定位置よりも行き過ぎないように規制する移動規制機構を備えたことが有効である。移動規制機構により、２つの開閉戸が、互いに、他方の開閉戸の方へ移動してしまうことが阻止されるので、開閉戸の開閉をより一層規則的に行うことができる。
【００２２】
また、本発明において、必要に応じ、上記開閉戸を、その閉時に施錠する施錠装置を設けた構成としている。施錠装置により施錠されるので、盗難やいたずら等を防止することができる。
【発明の効果】
【００２３】
本発明によれば、納骨の際は、開閉戸をスライドさせて開にするとき、開閉戸は閉塞板の上面側の開口周囲に露出しないように被覆されているので、開閉戸が周囲のスペースを狭めることがなく、スライド移動中はもとより開けた後も邪魔になることがない。また、逐一、大きな閉塞板を動かさなくてもよいことから、納骨を容易に行うことができるようになる。
【図面の簡単な説明】
【００２４】
【図１】本発明の実施の形態に係る墓を示す斜視図である。
【図２】本発明の実施の形態に係る墓を示す要部分解斜視図である。
【図３】本発明の実施の形態に係る墓において施錠装置を備えたときの状態を示す要部斜視図である。
【図４】本発明の実施の形態に係る墓において開閉戸の閉状態を示す図であり、（ａ）は平面図、（ｂ）は断面図である。
【図５】本発明の実施の形態に係る墓において開閉戸の開状態を示す図であり、（ａ）は平面図、（ｂ）は断面図である。
【図６】本発明の実施の形態に係る墓の変形例を示す要部分解斜視図である。
【図７】本発明の他の実施の形態に係る墓を示す斜視図である。
【図８】本発明のまた他の実施の形態に係る墓を示す斜視図である。
【図９】本発明の更にまた他の実施の形態に係る墓を示す斜視図である。
【図１０】本発明の実施の形態に係る墓において開放口の別の例を示す斜視図である。
【図１１】本発明の実施の形態に係る墓において凹所の別の例を示す要部分解斜視図である。
【図１２】本発明の別の実施の形態に係る墓を示す斜視図である。
【図１３】本発明の別の実施の形態に係る墓を示す要部分解斜視図である。
【図１４】本発明の別の実施の形態に係る墓において開閉戸の閉状態を示す図であり、（ａ）は平面図、（ｂ）は断面図である。
【図１５】本発明の別の実施の形態に係る墓において開閉戸の開状態を示す図であり、（ａ）は平面図、（ｂ）は断面図である。
【図１６】本発明の別の実施の形態に係る墓の変形例を示す図であり、（ａ）は裏側から見た要部分解斜視図、（ｂ）は裏側から見た要部斜視図である。
【図１７】本発明の別の実施の形態に係る墓の変形例において他の態様を示す裏側から見た要部斜視図である。
【図１８】本発明のまた別の実施の形態に係る墓を示す斜視図であり、（ａ）は裏面側から見た要部斜視図、（ｂ）は表側から見た要部斜視図である。
【図１９】従来の墓の一例を示す要部斜視図である。
【発明を実施するための形態】
【００２５】
以下、添付図面に基づいて、本発明の実施の形態に係る墓について詳細に説明する。図１乃至図５に示すように、実施の形態に係る墓は、石製の墓本体１を備え、この墓本体１の下側に遺骨を収納する骨堂２を備えている。骨堂２の上側は骨蓋ともいわれる矩形の石製の閉塞板３で塞がれている。閉塞板３には、骨堂２内に連通しこの骨堂２内に遺骨を入れるための矩形状の開口４が形成されている。閉塞板３の上面には、後述の被覆板２０に載置される石製の供机５が設けられている。供机５は、天板６と、天板６の両側を支持する一対の脚板７と、脚板７を支持する台板８とを備えて構成されている。供机５の左右には、後述の被覆板２０に載置され花を生けるための一対の石製の花立て９が設けられている。
【００２６】
閉塞板３の上面には、開口４を開閉する所謂双方開きの２つの石製の開閉戸１０，１０が設けられている。開閉戸１０は、閉塞板３の上面をスライド可能に設けられスライドにより開口４を開閉する板状に形成され、閉塞板３の長手方向である所定のスライド方向Ｒにスライドして、互いに対面する一方端面１１が、閉時に接合し開時に離間するように設けられている。開閉戸１０の一方端面１１側には、穴状の取っ手１３が設けられている。
【００２７】
また、閉塞板３の上面には、開閉戸１０を閉塞板３の上面側の開口４の周囲に露出しないように被覆する板状の石製の被覆板２０が設けられている。この被覆板２０には、開口４に対応した矩形の開放口２１が形成されている。開放口２１の大きさは、開口４よりも大きくても小さくてもよく、開閉戸１０の開閉操作を行うことができる適宜の大きさに形成される。この被覆板２０は、閉塞板１０とほぼ同じ大きさに形成され、その上面の開放口２１の周囲は、物を置くための平面状の物置スペース２２として構成されている。実施の形態では、物置スペース２２に、物として供机５及び花立９が載置される。
更に、開放口２１の開放縁に沿って上に突出する凸条２３が設けられている。また、被覆板２０に設置され開放口２１を塞ぐ着脱可能な蓋２４が設けられている。この蓋２４は、供机５の台板８で構成されている。そして、この蓋２４の裏面側には、凸条２３が遊嵌する凹部２５が形成されている。
【００２８】
そしてまた、閉塞板３の上面側及び被覆板２０の下面側の少なくとも何れか一方（実施の形態では閉塞板３の上面側）には、開閉戸１０をスライド可能に収容し開放口２１から開閉戸１０をスライド操作可能にする凹所３０が形成されている。
開閉戸１０の所定のスライド方向Ｒに沿う互いに対向する凹所３０の一対の側壁面は、開閉戸１０のスライド方向Ｒに沿う一対の側部１４が摺接してガイドされるガイド壁面３１として構成されている。
また、開閉戸１０の所定のスライド方向Ｒに直交し互いに対向する凹所３０の一対の側壁面は、夫々、開閉戸１０の一方端面１１の反対側にある他方端面１２が、開閉戸１０の開時に衝止する開時ストッパ壁面３２として構成されている。
【００２９】
更に、２つの開閉戸１０を、夫々、その閉方向のスライド移動が所定位置よりも行き過ぎないように、実施の形態では、２つの開閉戸１０の一方端面１１同士が開口４の中央で接合する所定位置よりも行き過ぎないように規制する移動規制機構４０が備えられている。この移動規制機構４０は、各開閉戸１０の他方端面１２側の両側部１４を、スライド方向Ｒに直交する方向に突出形成して突出部４１を設け、上記の凹所３０のガイド壁面３１を構成する一対の側壁面において、その所要箇所に段部４２を形成し、この段部４２に突出部４１を衝止させることにより、移動を規制するようにしている。即ち、凹所３０の開時ストッパ壁面３２と段部４２との間隔が、開閉戸１０の移動ストロークとして規定されている。図２，図４及び図５に示すように、凹所３０において、ガイド壁面３１は、開閉戸１０の側部１４のうち一般側部１４（ａ）を摺接させてガイドする部分と、突出部４１の突出側部１４（ａ）を摺接させてガイドする部分とを備えることになる。
【００３０】
本実施の形態に係る墓においては、図３に示すように、開閉戸１０を、その閉時に施錠する施錠装置５０を設けることができる。施錠装置５０は、シャックル５１を開閉する所謂南京錠５２を備えて構成され、２つの開閉戸１０の一方端面１１側に、チェーン５３を挿通可能な挿通孔５４を設け、この挿通孔５４にチェーン５３を挿通し、チェーン５３の両端部側に南京錠５２のシャックル５１を引き通してロックするようにしている。施錠装置５０により施錠されるので、盗難やいたずら等を防止することができる。
【００３１】
従って、この実施の形態に係る墓においては、常時は、図１，図３及び図４に示すように、閉塞板３上に被覆板２０が載置され、更に、被覆板２０上の物置スペース２２に、物として供机５及び花立て９が載置されている。即ち、開閉戸１０が凹所３０内に収容され、閉塞板３の上面側の開口４の周囲に露出しないので、被覆板２０の開放口２１の周囲のスペースが広く使えることになり、種々の物を置くことができるようになる。
また、常時は、開閉戸１０を閉にしておく。この場合、開口４は開閉戸１０で塞がれるとともに、開放口２１は蓋２４（台板８）で塞がれるので雨水が直接開放口２１から骨堂２内に入り込むことを防止することができる。また、開放口２１の開放縁には凸条２３が設けられているので、蓋２４（台板８）と被覆板２０との間から浸入する雨水もこの凸条２３で堰き止められることから、この点でも開放口２１から骨堂２内に雨水が入り込むことを防止することができる。
【００３２】
そして、納骨をするときは、図２に示すように、先ず、供机５を外す。それから、図４及び図５に示すように、開閉戸１０を、被覆板２０の開放口２１から操作し、スライドさせて開にする。この開閉戸１０のスライド移動の際は、開閉戸１０は凹所３０のガイド壁面３１に摺接してガイドされるので、スライド移動が円滑に行われる。また、開閉戸１０は凹所３０内でスライド移動するので、開閉戸１０が周囲のスペースを狭めることがなく、スライド移動中はもとより開けた後も邪魔になることがない。また、図５に示すように、開時には、その他方端面１２が開時ストッパ壁面３２により規定されるので、開閉戸１０が凹所３０内で開側に移動しすぎることがなく、開閉戸１０の開閉を規則的に確実に行うことができる。そして、開閉戸１０が開の状態で、この開けられた開放口２１及び開口４から骨堂２内に遺骨を入れる。
【００３３】
その後、図４及び図５に示すように、開閉戸１０を、被覆板２０の開放口２１から操作し、スライドさせて閉にする。この開閉戸１０のスライド移動の際は、開閉戸１０は凹所３０のガイド壁面３１に摺接してガイドされるので、スライド移動が円滑に行われる。また、開閉戸１０は凹所３０内でスライド移動するので、開閉戸１０が周囲のスペースを狭めることがなく、スライド移動中はもとより閉めた後も邪魔になることがない。また、閉時には、開閉戸１０は互いに対面する一方端面１１同士を接合するが、移動規制機構４０において、段部４２に突出部４１が衝止するので、２つの開閉戸１０が、互いに、他方の開閉戸１０の方へ移動してしまうことが阻止されることから、開閉戸１０の開閉を規則的に確実に行うことができる。これにより、納骨の際に、逐一、大きな閉塞板３を動かさなくてもよいことから、納骨が容易に行われる。
【００３４】
図６には、実施の形態に係る墓の変形例を示している。この墓は、上記と同様に形成されるが、上記と異なって、開閉戸１０を１つ備えた所謂片方開きのものである。開閉戸１０は、矩形板状に形成されており、開閉戸１０のスライド方向Ｒに直交する両端部のうち一方の端部側に穴状の取っ手１３が設けられている。また、開閉戸１０をスライド操作可能にする凹所３０も矩形状に形成されている。凹所３０において、開閉戸１０の所定のスライド方向Ｒに直交し互いに対向する凹所３０の一対の側壁面のうち、一方の側壁面は、開閉戸１０の閉時に開閉戸１０のスライド方向Ｒに直交する両端部のうち一方の端部（一方端面１１）が衝止する閉時ストッパ壁面３３として構成され、他方の側壁面は、開閉戸１０の開時に該開閉戸１０のスライド方向Ｒに直交する両端部のうち他方の端部（他方端面１２）が衝止する開時ストッパ壁面３２として構成されている。この開閉戸１０が一枚の所謂片方開きの場合においても、開閉戸１０はその開閉の終端が閉時ストッパ壁面３３と開時ストッパ壁面３２により規定されるので、開閉戸１０が凹所３０内で移動しすぎることがなく、開閉戸１０の開閉を確実に行うことができる。他の作用，効果は上記と同様である。
【００３５】
図７には、他の実施の形態に係る墓を示している。これは、被覆板２０を、供机５の台板８で構成したものである。符号４５は、開放口２１を塞ぐ蓋である。被覆板２０を供机５の台板８を利用して構成したので、部品点数を削減できる。
図８には、また他の実施の形態に係る墓を示している。これは、閉塞板３を墓本体１を支持する大きな台板６０で構成し、その上に被覆板２０を設けたものである。これによっても、上記と同様の作用，効果を奏する。
図９には、更にまた他の実施の形態に係る墓を示している。これは、墓本体１の周囲を、石板６１を敷設した所謂石貼りにしている。そして、閉塞板３を、この石貼りの石板６１で構成し、その上に被覆板２０を設けている。これによっても、上記と同様の作用，効果を奏する。
【００３６】
また、上記の各実施の形態に係る墓においては、図１０に示すように、被覆板２０の開放口２１の形状を、矩形以外の形状、例えば、ハート形等に形成することができる。開放口２１にアクセントをつけることができ、斬新なデザインにすることができる。
【００３７】
また、上記の各実施の形態において、凹所３０を閉塞板３に形成したが、必ずしもこれに限定されるものではなく、図１１に示すように、被覆板２０の下面側に凹所３０を設け、あるいは、閉塞板３の上面側と被覆板２０の下面側の両者に凹所３０を形成してもよく、適宜変更して差し支えない。また、被覆板２０としては、必ずしも供机５の台板８を用いて構成しなくてもよく、別途備えるようにして良いことは勿論である。
【００３８】
次に、本発明の別の実施の形態に係る墓について詳細に説明する。図１２乃至図１５に示すように、この実施の形態に係る墓は、上記と同様に、石製の墓本体１を備え、この墓本体１の下側に遺骨を収納する骨堂２を備えている。骨堂２の上側は骨蓋ともいわれる矩形の石製の閉塞板３で塞がれている。閉塞板３には、骨堂２内に連通しこの骨堂２内に遺骨を入れるための矩形状の開口４が形成されている。閉塞板３の上面には、石製の供机５が載置されている。供机５は、天板６と、天板６の両側を支持する一対の脚板７と、脚板７を支持する台板８とを備えて構成されている。供机５の左右には、後述の被覆板２０に載置され花を生けるための一対の石製の花立て９が設けられている。
【００３９】
閉塞板３の下面側には、開口４を開閉する所謂双方開きの２つの石製の開閉戸１０，１０が配置されている。開閉戸１０は、閉塞板３の下面側でスライド可能に設けられスライドにより開口４を開閉する板状に形成され、閉塞板３の長手方向である所定のスライド方向Ｒにスライドして、互いに対面する一方端面１１が、閉時に接合し開時に離間するように設けられている。これにより、開閉戸１０は閉塞板３の上面側の開口４の周囲に露出しないように閉塞板３で覆われることになる。開閉戸１０の一方端面１１側には、穴状の取っ手１３が設けられている。
【００４０】
また、閉塞板３の下面側には、開閉戸１０をスライド可能に支持する支持部材７０が設けられており、開口４から開閉戸１０をスライド操作可能にしている。詳しくは、支持部材７０は、閉塞板３の下面に付帯される支持板７１で構成されている。支持板７１には、開口４に対応した開放口７２が形成されている。開放口７２の大きさは、開口４よりも大きくても小さくてもよく、適宜の大きさに形成される。この支持板７１は、閉塞板１０よりも小さく形成され、骨堂２内に臨む。これにより、開口４の周囲は、物を置くための平面状の物置スペース７３として構成されている。実施の形態では、物置スペース７３に、物として供机５及び花立て９が載置される。
更に、開口４の開放縁に沿って上に突出する凸条７４が設けられている。また、閉塞板３に設置され開口４を塞ぐ着脱可能な蓋７５が設けられている。この蓋７５は、供机５の台板８で構成されている。そして、この蓋７５の裏面側には、凸条７４が遊嵌する凹部７６が形成されている。
【００４１】
そしてまた、閉塞板３の下面側及び支持板７１の上面側の少なくとも何れか一方（実施の形態では支持板７１の上面側）には、開閉戸１０をスライド可能に収容し開口４から開閉戸１０をスライド操作可能にする上記と同様の凹所３０が形成されている。
開閉戸１０の所定のスライド方向Ｒに沿う互いに対向する凹所３０の一対の側壁面は、開閉戸１０のスライド方向Ｒに沿う一対の側部１４が摺接してガイドされるガイド壁面３１として構成されている。
また、開閉戸１０の所定のスライド方向Ｒに直交し互いに対向する凹所３０の一対の側壁面は、夫々、開閉戸１０の一方端面１１の反対側にある他方端面１２が、開閉戸１０の開時に衝止する開時ストッパ壁面３２として構成されている。
【００４２】
更に、２つの開閉戸１０を、夫々、その閉方向のスライド移動が所定位置よりも行き過ぎないように、実施の形態では、２つの開閉戸１０の一方端面１１同士が開口４の中央で接合する所定位置よりも行き過ぎないように規制する移動規制機構４０が備えられている。この移動規制機構４０は、各開閉戸１０の他方端面１２側の両側部１４を、スライド方向Ｒに直交する方向に突出形成して突出部４１を設け、上記の凹所３０のガイド壁面３１を構成する一対の側壁面において、その所要箇所に段部４２を形成し、この段部４２に突出部４１を衝止させることにより、移動を規制するようにしている。即ち、凹所３０の開時ストッパ壁面３２と段部４２との間隔が、開閉戸１０の移動ストロークとして規定されている。図１３，図１４及び図１５に示すように、凹所３０において、ガイド壁面３１は、開閉戸１０の側部１４のうち一般側部１４（ａ）を摺接させてガイドする部分と、突出部４１の突出側部１４（ａ）を摺接させてガイドする部分とを備えることになる。
また、本実施の形態に係る墓においては、図３に示すと同様の施錠装置５０を設けることができる。
【００４３】
従って、この実施の形態に係る墓においては、常時は、図１２及び図１４に示すように閉塞板３上の物置スペース７３に、物として供机５及び花立て９が載置されている。即ち、開閉戸１０が閉塞板３に覆われて凹所３０内に収容されているので、開口４の周囲のスペースが広く使えることになり、種々の物を置くことができるようになる。
また、常時は、開閉戸１０を閉にしておく。この場合、開口４は開閉戸１０で塞がれるとともに、開放口２１は蓋７５（台板８）で塞がれるので雨水が直接開口４及び開放口７２から骨堂２内に入り込むことを防止することができる。また、開口４の開放縁には凸条７４が設けられているので、蓋７５（台板８）と閉塞板３との間から浸入する雨水もこの凸条７４で堰き止められることから、この点でも開口４及び開放口７２から骨堂２内に雨水が入り込むことを防止することができる。
【００４４】
そして、納骨をするときは、図１３に示すように、先ず、供机５を外す。それから、図１４及び図１５に示すように、開閉戸１０を、開口４から操作し、スライドさせて開にする。この開閉戸１０のスライド移動の際は、開閉戸１０は凹所３０のガイド壁面３１に摺接してガイドされるので、スライド移動が円滑に行われる。また、開閉戸１０は凹所３０内でスライド移動するので、開閉戸１０が周囲のスペースを狭めることがなく、スライド移動中はもとより開けた後も邪魔になることがない。また、図１５に示すように、開時には、その他方端面１２が開時ストッパ壁面３２により規定されるので、開閉戸１０が凹所３０内で開側に移動しすぎることがなく、開閉戸１０の開閉を規則的に確実に行うことができる。そして、開閉戸１０が開の状態で、この開けられた開口４及び開放口７２から骨堂２内に遺骨を入れる。
【００４５】
その後、図１４及び図１５に示すように、開閉戸１０を、開口４から操作し、スライドさせて閉にする。この開閉戸１０のスライド移動の際は、開閉戸１０は凹所３０のガイド壁面３１に摺接してガイドされるので、スライド移動が円滑に行われる。また、開閉戸１０は凹所３０内でスライド移動するので、開閉戸１０が周囲のスペースを狭めることがなく、スライド移動中はもとより閉めた後も邪魔になることがない。また、閉時には、開閉戸１０は互いに対面する一方端面１１同士を接合するが、移動規制機構４０において、段部４２に突出部４１が衝止するので、２つの開閉戸１０が、互いに、他方の開閉戸１０の方へ移動してしまうことが阻止されることから、開閉戸１０の開閉を規則的に確実に行うことができる。これにより、納骨の際に、逐一、大きな閉塞板３を動かさなくてもよいことから、納骨が容易に行われる。
【００４６】
図１６には、本発明の別の実施の形態に係る墓の変形例を示している。これは、凹所３０を閉塞板３の下面に形成して、開閉戸１０をこれに収容するとともに、支持板７１をこの凹所３０に嵌合して固定している。尚、凹所３０は、閉塞板３の下面側と支持板７１の上面側の両者に形成してもよく、適宜変更して差し支えない。また、図１７に示すように、支持板７１は凹所３０に嵌合するのではなく、凹所３０を覆って凹所３０周囲の閉塞板３の下面に接合してもよく、適宜変更して差し支えない。
【００４７】
図１８には、本発明のまた別の実施の形態に係る墓を示している。これは、上記とは支持部材７０の構成が異なっている。この例では、支持部材７０を、閉塞板３の下面に付帯され、開閉戸１０のスライド方向に沿う一対の側部が摺接してガイドされる一対のレール７８,７８で構成している。レール７８には、開閉戸１０の開度を規制するストッパ（図示せず）が設けられている。これによっても、上記と同様の作用，効果を奏する。
【００４８】
尚、図１８に示すように、開口４には凸条７４を特に設けなくてもよく、適宜変更して差し支えない。しかしながら、水密性を良くするには、凸条７４を設けることが望ましい。また、図１０に示すと同様に、開口４の形状を、矩形以外の形状に形成した構成としてよい。開口４にアクセントをつけることができ、斬新なデザインにすることができる。更にまた、凹所３０内にレールを内装するようにしても良く適宜変更して差し支えない。
【符号の説明】
【００４９】
１  墓本体
２  骨堂
３  閉塞板
４  開口
５  供机
６  天板
７  脚板
８  台板
９  花立て部
１０  開閉戸
１１  一方端面
１２  他方端面
１３  取っ手
１４  側部
２０  被覆板
２１  開放口
２２  物置スペース
２３  凸条
２４  蓋
２５  凹部
３０  凹所
３１  ガイド壁面
３２  開時ストッパ壁面
３３  閉時ストッパ壁面
４０  移動規制機構
４１  突出部
４２  段部
５０  施錠装置
５２  南京錠
５３  チェーン
５４  挿通孔
６０  台板
６１  石板
７０  支持部材
７１  支持板
７２  開放口
７３  物置スペース
７４  凸条
７５  蓋
７６  凹部
７８  レール
【図１】
2014005651.tif 000003
【図２】
2014005651.tif 000004
【図３】
2014005651.tif 000005
【図４】
2014005651.tif 000006
【図５】
2014005651.tif 000007
【図６】
2014005651.tif 000008
【図７】
2014005651.tif 000009
【図８】
2014005651.tif 000010
【図９】
2014005651.tif 000011
【図１０】
2014005651.tif 000012
【図１１】
2014005651.tif 000013
【図１２】
2014005651.tif 000014
【図１３】
2014005651.tif 000015
【図１４】
2014005651.tif 000016
【図１５】
2014005651.tif 000017
【図１６】
2014005651.tif 000018
【図１７】
2014005651.tif 000019
【図１８】
2014005651.tif 000020
【図１９】
2014005651.tif 000021
【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
墓本体の下側に遺骨を収納し閉塞板で塞がれた骨堂を備え、上記閉塞板に上記骨堂内に連通し該骨堂内に遺骨を入れるための開口を形成し、上記閉塞板にスライドにより上記開口を開閉する板状の開閉戸を備えた墓において、
上記開閉戸を上記閉塞板の上面側の開口周囲に露出しないように被覆した構成とし、
上記開閉戸を上記閉塞板の上面に配置し、上記閉塞板の上面に板状の被覆板を設け、該被覆板に上記開口に対応した開放口を形成し、上記閉塞板の上面側及び上記被覆板の下面側の少なくとも何れか一方に上記開閉戸をスライド可能に収容し上記開放口から該開閉戸をスライド操作可能にする凹所を形成したことを特徴とする墓。
【請求項２】
上記被覆板の上面の開放口の周囲を、物を置くための平面状の物置スペースとして構成したことを特徴とする請求項１記載の墓。
【請求項３】
上記開放口の開放縁に沿って上に突出する凸条を設け、上記被覆板に設置され上記開放口を塞ぐ着脱可能な蓋を設けるとともに、該蓋の裏面側に上記凸条が遊嵌する凹部を形成したことを特徴とする請求項１または２記載の墓。
【請求項４】
上記開放口の形状を、矩形以外の形状に形成したことを特徴とする請求項１乃至３何れかに記載の墓。
【請求項５】
墓本体の下側に遺骨を収納し閉塞板で塞がれた骨堂を備え、上記閉塞板に上記骨堂内に連通し該骨堂内に遺骨を入れるための開口を形成し、上記閉塞板にスライドにより上記開口を開閉する板状の開閉戸を備えた墓において、
上記開閉戸を上記閉塞板の上面側の開口周囲に露出しないように被覆した構成とし、
上記開閉戸を上記閉塞板の下面側に配置し、該閉塞板の下面側に上記開閉戸をスライド可能に支持する支持部材を設け、上記開口から該開閉戸をスライド操作可能にしたことを特徴とする墓。
【請求項６】
上記閉塞板の上面の開口の周囲を、物を置くための平面状の物置スペースとして構成したことを特徴とする請求項５記載の墓。
【請求項７】
上記開口の開口縁に沿って上に突出する凸条を設け、上記閉塞板に設置され上記開口を塞ぐ着脱可能な蓋を設けるとともに、該蓋の裏面側に上記凸条が遊嵌する凹部を形成したことを特徴とする請求項５または６記載の墓。
【請求項８】
上記開口の形状を、矩形以外の形状に形成したことを特徴とする請求項５乃至７何れかに記載の墓。
【請求項９】
上記支持部材を、上記閉塞板の下面に付帯され、上記開閉戸のスライド方向に沿う一対の側部が摺接してガイドされる一対のレールで構成したことを特徴とする請求項５乃至８何れかに記載の墓。
【請求項１０】
上記支持部材を、上記閉塞板の下面に付帯される支持板で構成し、該支持板に上記開口に対応した開放口を形成し、上記閉塞板の下面側及び上記支持板の上面側の少なくとも何れか一方に上記開閉戸をスライド可能に収容し上記開口から該開閉戸をスライド操作可能にする凹所を形成したことを特徴とする請求項５乃至８何れかに記載の墓。
【請求項１１】
上記開閉戸の所定のスライド方向に沿う互いに対向する上記凹所の一対の側壁面を、該開閉戸のスライド方向に沿う一対の側部が摺接してガイドされるガイド壁面として構成したことを特徴とする請求項１,２,３,４または１０何れかに記載の墓。
【請求項１２】
上記開閉戸を１つ備え、該開閉戸の所定のスライド方向に直交し互いに対向する上記凹所の一対の側壁面のうち、一方の側壁面を、上記開閉戸の閉時に該開閉戸のスライド方向に直交する両端部のうち一方の端部が衝止する閉時ストッパ壁面として構成し、他方の側壁面を、上記開閉戸の開時に該開閉戸のスライド方向に直交する両端部のうち他方の端部が衝止する開時ストッパ壁面として構成したことを特徴とする請求項１,２,３,４,１０または１１何れかに記載の墓。
【請求項１３】
上記開閉戸を、所定のスライド方向にスライドして、互いに対面する一方端面が、閉時に接合し開時に離間するよう２つ備え、該開閉戸の所定のスライド方向に直交し互いに対向する上記凹所の一対の側壁面を、夫々、上記開閉戸の一方端面の反対側にある他方端面が、該開閉戸の開時に衝止する開時ストッパ壁面として構成したことを特徴とする請求項１,２,３,４,１０または１１何れかに記載の墓。
【請求項１４】
上記２つの開閉戸を、夫々、その閉方向のスライド移動が所定位置よりも行き過ぎないように規制する移動規制機構を備えたことを特徴とする請求項１３記載の墓。
【手続補正２】
【補正対象書類名】明細書
【補正対象項目名】００２２
【補正方法】削除
【補正の内容】